(57)【特許請求の範囲】
【請求項１】
機台にロール状に巻回したフィルム原反を装填保持するフィルム装填部と、前記フィルム原反から引き出し案内されるフィルムを角形の筒状に折り返すフォーマーと、このフォーマーの上下方向に沿って延びた角形製袋筒部と、この角形製袋筒部の内部に配設された円筒状の充填筒部と、この充填筒部の上端側に設けられたホッパーと、前記充填筒部の内部に設けられ、前記ホッパーに収容されている培養基を掻き出して供給するスクリューコンベアと、前記フォーマーにより折り返され、前記角形製袋筒部の外周側に沿って筒状に巻き付けられて案内されたフィルムの両端縁を重ね合わせて縦シールする縦シール機構と、前記角形製袋筒部の外周側に沿って筒状に製袋されたフィルムを移送するフィルム搬送機構と、前記角形製袋筒部の下方側に設けられ、角形製袋筒部より下方に送られた角形筒状のフィルムをその幅方向に沿ってヒートシールする横シール機構と、この横シール機構によって下側が閉塞された状態の角形筒状フィルムによる包装袋内に前記ホッパー内の培養基を前記スクリューコンベアの回転によって所定量掻きだして加圧充填した後、その培養基が充填された角形筒状の包装袋の上側を切断するフィルムカッター機構と、前記角形製袋筒部の下側に隣接して配設され、前記充填筒部を挿通可能とする挿通孔を有する加圧プレートと、この加圧プレートに連結され、加圧プレートの上下動により前記角形の包装袋内の培養基を加圧するための押圧駆動手段と、を備えてなることを特徴とする角形包装袋における培養基の自動袋詰め装置。
【請求項２】
前記加圧プレートの下面側には、前記角形筒状の包装袋内に加圧充填される培養基の表面部分に植菌孔を穿設するための孔開け棒を設けたことを特徴とする請求項１に記載の角形包装袋における培養基の自動袋詰め装置。
【請求項３】
前記フィルム原反を装填保持するフィルム装填部と前記フィルムを角形の筒状に折り返すフォーマーとの搬送経路途上にフィルムを挟着保持しつつ所定の箇所に開口孔を設ける孔開け機構と、通気性のフィルタをロール状に巻回したフィルタ原反を装填保持するフィルタ装填部と、前記フィルタ原反から引き出し案内されるフィルタを所定の寸法に切断するフィルタカッター機構と、このフィルタカッター機構によって切断されたフィルタを前記フィルムに設けた前記開口孔位置に合わせて貼り付ける溶着機構とからなることを特徴とする請求項１または請求項２に記載の角形包装袋における培養基の袋詰め装置。
【請求項４】
前記孔開け機構と連結し、前記包装袋の横シール間隔である包装袋の１ピッチ分を搬送移送するフィルム定寸送り機構を設け、前記孔開け機構によるフィルムの挟着時に前記包装袋の横シール間隔である１ピッチ分を繰り出して移送し、孔開け機構によるフィルムの挟着開放時に前記フィルム定寸送り機構を復帰作動するように前記フィルム定寸送り機構を設定してなることを特徴とする請求項３に記載の角形包装袋における培養基の袋詰め装置。
【発明の詳細な説明】
【０００１】
【産業上の利用分野】
本発明は、大鋸屑や米ぬかなどを主成分とし、さまざまな栄養源を配合した培養基をプラスチック製のフィルムからなる袋内に充填する培養基の袋詰め装置に関するものである。
【０００２】
【従来の技術】
従来、大鋸屑や米ぬかなどを主成分に栄養源を配合した培養基を用いてきのこ類を人工栽培する方法としては、培養基を栽培ビンに充填して殺菌処理し、その充填した栽培ビンの中にエノキダケ，マイタケなどのきのこ類の種菌を接種した後に、栽培ビンの口部にキャップを被せて閉塞し、予め決められた温度，湿度条件下で菌を培養して工業的に栽培する方法、あるいは培養基をプラスチック製の袋内に充填し、その充填した培養基充填包装袋の袋口を袋の側方に折り返して袋の形態を整形保持し、この状態にて袋ごと培養基を殺菌処理し、この殺菌処理した培養基充填包装袋の中に種菌を接種して予め決められた温度，湿度条件下で菌を培養して工業的に栽培する方法などが行われている。
【０００３】
前者の場合においては、栽培ビンの口部の口径寸法に合わせてエノキダケなどの栽培を行っているが、シイタケなどでは栽培ビンの口部の口径が狭く、シイタケなどのきのこの採取には向かないために適用できない。そのため、シイタケ，ナメコなどの人工栽培では後者のプラスチック製の包装袋を用いている。
【０００４】
また前者の場合にあっては、きのこの収穫後において栽培ビンの内部の培養基を掻き出して栽培ビンを洗浄することにより、繰り返し栽培ビンを使うことができるというメリットが有るものの、手間がかかるという問題があるため、近年では使い捨てではあるが後者の培養基充填包装袋の需要が高まってきているのが現状である。
【０００５】
包装袋への培養基の袋詰め作業として、手作業にて行う場合、先ず包装袋の袋口を押し広げてその中に培養基を所定量充填し、その上面を手や治具を用いて押し固め円柱状に成形した後、その上面中央に突き棒などを介して植菌孔を形成するようにして培養基を充填および加圧成形しながら袋詰めを行うようにしている。
【０００６】
その場合、前記包装袋として、培養基を円柱状に充填する丸形包装袋タイプと、培養基を角形の立方体形状に充填する角形包装袋タイプとがあり、丸形包装袋タイプにあっては、比較的に形にとらわれることがないため培養基の充填作業が行い易いというメリットがあり、角形包装袋タイプとしては、培養基を充填した包装袋を栽培棚に整列する際において、スペース効率が良い点や複数段に積み上げる時に角部があり、その角形包装袋の底面全体が平面的に設置するため荷崩れが起きづらく便利であるというメリットがある。
【０００７】
【発明が解決しようとする課題】
ところで、従来では前記丸形包装袋のタイプであったとしても角形包装袋のタイプであったとしても、いずれの包装袋にしても培養基を手作業にて袋詰めを行っているため、包装袋への培養基の充填作業やその培養基の圧縮作業あるいは種菌を接種するための植菌孔の孔開け作業など労力を要し、しかも人手による培養基の加圧による圧縮作業であるため培養基の加圧成形の硬さにバラツキが生じることがあり、前記植菌孔の孔開け作業時において培養基が柔らかすぎると型くずれを起こしてしまったりすることがある。
【０００８】
そこで、近年ではこの種のきのこ類の人工栽培の技術が進み、培養基の取り扱いや接種工程を機械化しきのこ類を画一的に大量生産する方法が提案されており、たとえば実開平６−４１９９９号公報や実公平３−３１１４９号公報あるいは特公平６−２４４５４号公報などに提案されているように、三方が閉塞されている包装袋の袋口を開口し、その袋内に培養基を充填するタイプが提案されているが、この培養基の充填装置にあっては、一枚ごと包装袋を取り出して袋口を開口保持した後に培養基を充填するように構成しているため生産能率が低下してしまうという問題が残されている。
【０００９】
この点を考慮するものとして、たとえば特公平８−２５５２１号公報に記載されているように、ロール状に巻かれた原反フィルムからフィルムを引き出して供給し、そのフィルムを筒状に製袋しつつ培養基をその筒状部内に充填しシールして搬出するタイプが提案されており、この場合、ロール状に巻かれた原反フィルムからフィルムを引き出しながら、そのフィルムを筒状に製袋しつつ培養基をその筒状部内に充填してシールすることによってその袋内に培養基を充填および加圧成形しながら袋詰めすることができるため生産効率を高めることができるというメリットがあるものの、その構造上において、前述した丸形包装袋タイプには適用できるが、角形包装袋タイプにおいては包装形態が異なるため適用することができないという問題がある。
【００１０】
また、前記公報からなる培養基の袋詰め装置にあっては、その包装用のフィルムが通気性を持たないため袋口を閉じてしまうと、呼吸するきのこ類の菌を繁殖させる際に不都合が生じてしまうため、袋口を部分的に開放状態にして包装袋の内部と外部との通気を計らなければならず、外部からの雑菌の侵入がないように配慮する必要がある。
【００１１】
また、この点を考慮するものとして、たとえば特開平４−７１４２２号公報にて提案されているように、筒状に製袋したフィルムをロール状に巻回し、その筒状のフィルムの幅方向に沿って所定間隔を配してシールがなされて袋が形成されるとともに、その連続した袋に雑菌の侵入を抑制しながら内外気の通気を行うフィルタがそれぞれ設けられてロール状の筒状フィルムを構成している。このフィルタを設けた筒状のフィルムを引き出しながらフィルムの幅方向にシールされた箇所に設けられた切断線に沿ってフィルムをカットすることで一枚の袋が取り出され、その袋内に培養基を充填するようにしているため、フィルタにより外部からの雑菌の侵入は抑制することができるものの、ロール状の筒状フィルムを一枚づつ切断しながら袋を取り出し、次いでその袋口を開口して培養基を充填しなければならず、生産能率が低下してしまうという問題が残されている。
【００１２】
そこで本発明は、上述したような問題点に鑑みて成されたもので、第１の目的として、ロール状原反から引き出し案内されたフィルムを角形筒状に製袋しつつ、その製袋された角形包装袋内に培養基を連続的に充填して袋詰めすることのできる角形包装袋における培養基の袋詰め装置を提供するものであり、また第２の目的として、フィルムを引き出しながらそのフィルムに内外気の通気を行うフィルタを簡単に位置合わせしながら貼り付けることのできる角形包装袋における培養基の袋詰め装置を提供することにある。
【００１３】
【課題を解決するための手段】
本発明は、請求項１では、機台にロール状に巻回したフィルム原反を装填保持するフィルム装填部と、前記フィルム原反から引き出し案内されるフィルムを角形の筒状に折り返すフォーマーと、このフォーマーの上下方向に沿って延びた角形製袋筒部と、この角形製袋筒部の内部に配設された円筒状の充填筒部と、この充填筒部の上端側に設けられたホッパーと、前記充填筒部の内部に設けられ、前記ホッパーに収容されている培養基を掻き出して供給するスクリューコンベアと、前記フォーマーにより折り返され、前記角形製袋筒部の外周側に沿って筒状に巻き付けられて案内されたフィルムの両端縁を重ね合わせて縦シールする縦シール機構と、前記角形製袋筒部の外周側に沿って筒状に製袋されたフィルムを移送するフィルム搬送機構と、前記角形製袋筒部の下方側に設けられ、角形製袋筒部より下方に送られた角形筒状のフィルムをその幅方向に沿ってヒートシールする横シール機構と、この横シール機構によって下側が閉塞された状態の角形筒状フィルムによる包装袋内に前記ホッパー内の培養基を前記スクリューコンベアの回転によって所定量掻きだして加圧充填した後、その培養基が充填された角形筒状の包装袋の上側を切断するフィルムカッター機構と、前記角形製袋筒部の下側に隣接して配設され、前記充填筒部を挿通可能とする挿通孔を有する加圧プレートと、この加圧プレートに連結され、加圧プレートの上下動により前記角形の包装袋内の培養基を加圧するための押圧駆動手段と、を備えてなることを特徴とする角形包装袋における培養基の自動袋詰め装置である。
【００１４】
また請求項２では、請求項１において、前記加圧プレートの下面側には、前記角形筒状の包装袋内に加圧充填される培養基の表面部分に植菌孔を穿設するための孔開け棒を設けたことを特徴とする角形包装袋における培養基の自動袋詰め装置である。
【００１５】
また請求項３では、請求項１または請求項２において、前記フィルム原反を装填保持するフィルム装填部と前記フィルムを角形の筒状に折り返すフォーマーとの搬送経路途上にフィルムを挟着保持しつつ所定の箇所に開口孔を設ける孔開け機構と、通気性のフィルタをロール状に巻回したフィルタ原反を装填保持するフィルタ装填部と、前記フィルタ原反から引き出し案内されるフィルタを所定の寸法に切断するフィルタカッター機構と、このフィルタカッター機構によって切断されたフィルタを前記フィルムに設けた前記開口孔位置に合わせて貼り付ける溶着機構とからなることを特徴とする角形包装袋における培養基の袋詰め装置である。
【００１６】
また請求項４では、請求項３において、前記孔開け機構と連結し、前記包装袋の横シール間隔である包装袋の１ピッチ分を搬送移送するフィルム定寸送り機構を設け、前記孔開け機構によるフィルムの挟着時に前記包装袋の横シール間隔である１ピッチ分を繰り出して移送し、孔開け機構によるフィルムの挟着開放時に前記フィルム定寸送り機構を復帰作動するように前記フィルム定寸送り機構を設定してなることを特徴とする角形包装袋における培養基の袋詰め装置である。
【００１７】
【発明の実施の形態】
請求項１の発明では、フィルムを角形に製袋して送り出す角形製袋筒部と、培養基を充填するための充填筒部とを２重構造に配設し、ロール状のフィルム原反から引き出し案内されたフィルムを角形製袋筒部によって角形筒状に製袋した後に縦シール機構、横シール機構によってヒートシールされ、その製袋された角形包装袋内に充填筒部の内部に設けられたスクリューコンベアによって間欠的に培養基を充填加圧しながら連続して角形包装袋内に培養基の袋詰めが行われる。  また、前記スクリューコンベアによって加圧充填された角形包装袋の中央部分を除く四隅箇所は、加圧プレートの押圧作動によって加圧整形される。
【００１８】
また前記請求項２の発明では、前記加圧プレートの下面側に設けた孔開け棒によって、前記角形筒状の包装袋内に加圧充填される培養基の表面部分に植菌孔が穿設され、この植菌孔によって種菌の接種時においては、種菌の菌糸が培養機内で早く蔓延することが可能となり、また植菌孔の存在により、包装袋内の培養基の通気性を高めることが可能となる。
【００１９】
また前記請求項３の発明では、前記フィルム原反を装填保持するフィルム装填部とフィルムを筒状に折り返すフォーマーとの搬送経路途上にフィルムを挟着保持しつつフィルムの所定の箇所に開口孔を形成する孔開け機構が設けられ、ロール状に巻回されたフィルタ原反から引き出し案内された通気性を有するフィルタをフィルタカッター機構によって所定の寸法に切断し、切断されたフィルタを前記フィルムに設けた前記開口孔位置に合わせて溶着機構によって貼り付けることにより、フィルムの開口孔位置に内外気の通気を行うフィルタを簡単に位置合わせしながら貼り付けることができる。
【００２０】
また前記請求項４の発明では、請求項３において、前記孔開け機構と連結し、前記包装袋の横シール間隔である包装袋の１ピッチ分を搬送移送するフィルム定寸送り機構を設け、前記孔開け機構によるフィルムの挟着時に前記包装袋の横シール間隔である１ピッチ分を繰り出して移送し、孔開け機構によるフィルムの挟着開放時に前記フィルム定寸送り機構を復帰作動するように前記フィルム定寸送り機構を設定してなることにより、包装袋の所定箇所に良好にフィルタを貼り付けるための開口孔を適正位置に開けつつ、フィルムを所定量移送することができる。
【００２１】
【実施例】
以下、本発明の実施例を添付図面を参照にして説明する。本発明に係る角形包装袋における培養基の袋詰め装置の概略構成とその動作については、図１から図１２の角形包装袋における培養基の袋詰め装置の全体構成を示す概要図にて述べる。培養基の袋詰め装置の本体枠である機台１の側方には、フィルム装填部２が設けられ、このフィルム装填部２に樹脂シートからなるフィルムＳをロール状に巻回したフィルム原反ＳＲが着脱交換可能に設けられ、このフィルム原反ＳＲから引き出し案内されたフィルムＳをセーラー板からなるフォーマー３によって角形の筒状に折り返され、フォーマー３によって折り返されたフィルムＳは、フォーマー３の上下方向に沿って延設された角形製袋筒部４の外周面に沿って筒状に引き回し配設されるように形成されている。
【００２２】
また、前記角形製袋筒部４の内部には円筒状の充填筒部５が配設され、この充填筒部５の上端側には培養基Ｂを収容するホッパー６が設けられ、そのホッパー６に収納されている培養基Ｂは、前記充填筒部５に挿通配置されているスクリューコンベア７の回転数に応じて規定量が掻き出されて供給されるものであり、このスクリューコンベア７は駆動源となるモータ８によって回転駆動されるように構成されている。
【００２３】
また、前記フォーマー３により折り返されて前記角形製袋筒部４の外周側に沿って筒状に巻き付けられて案内されたフィルムＳの両端縁の重ね合わせ部分は、縦シール機構９によって縦シールされて角形筒状に製袋され、角形製袋筒部４の外周側に沿って角形の筒状に製袋されたフィルムＳは、フィルムＳを押圧しながら回転する送りローラからなるフィルム搬送機構１０によって所定量移送されるものであり、また角形製袋筒部４より下方に移送された角形筒状のフィルムＳは、前記角形製袋筒部４の下方側に設けられた横シール機構１１によって筒状のフィルムＳの幅方向に沿ってヒートシールされ、この実施例にあっては、前記横シール機構１１に隣接してその横シール機構１１の下方にフィルムＳを幅方向に切断するフィルムカッター機構１２が設けられている。
【００２４】
また、前記角形製袋筒部４の下側には、その角形製袋筒部４の形状とほぼ同形状に形成され、前記充填筒部５を挿通可能とする挿通孔１３Ａを有する加圧プレート１３が隣接して設けられており、この加圧プレート１３の両端部に取り付けられた連接ロッド１４が、前記角形製袋筒部４の内部側に沿ってその上端側から突き出し形成されて取付プレート１５に固定支持され、この取付プレート１５は機台１に固定された押圧駆動手段となるシリンダ１６に連結されており、また前記加圧プレート１３の底部側には、角形筒状の包装袋Ｐ内に加圧充填される培養基Ｂの表面部分に植菌孔Ｂ１を穿設するための孔開け棒１７が取付固定されている。
【００２５】
また、フィルムカッター機構１２の下方には、培養基Ｂを充填し加圧成形する際にその角形包装袋Ｐを載せて保持する充填袋載置部材１８が設けられており、この充填袋載置部材１８上に載せられた角形包装袋Ｐには、前記スクリューコンベア７の回転によって所定量掻きだされて充填され、その角形包装袋Ｐ内に培養基Ｂが加圧成形されるとともに、前記押圧駆動手段となるシリンダ１６の駆動によって連接ロッド１４を介して加圧プレート１３が培養基Ｂに向けて押圧し、これにより前記スクリューコンベア７によって加圧充填された角形包装袋Ｐの中央部分を除く四隅箇所が、加圧プレート１３の押圧作動によって加圧整形される。
【００２６】
また、前記スクリューコンベア７と加圧プレート１３とによって加圧整形された後に、前記充填袋載置部材１８は、その角形包装袋Ｐの底部を受けている位置から下方へ下がりつつ側方へ移動するように構成されており、この横方向への移動時に、培養基Ｂが充填されている筒状の角形包装袋Ｐがフィルム搬送機構１０によって横シール間隔である１ピッチ分が繰り出されて下方へと移送され、その培養基Ｂが充填された筒状の角形包装袋Ｐの上側を横シール機構１１により横シールするとともに、その横シールされた角形包装袋Ｐの下側を前記フィルムカッター機構１２によって切断することにより培養基Ｂが袋詰めされた角形包装袋Ｐが搬出され、たとえば袋詰め装置の機台１に設けられた搬送コンベア１９上に供給された角形包装袋Ｐが搬送されるように構成されている。
【００２７】
なお、前記角形包装袋Ｐ内に培養基Ｂを充填して加圧成形する際に、筒状の角形包装袋Ｐの側面部分を矯正して包装形態を良好に保つための側面用押型２０が設けられ、前記スクリューコンベア７の下端部分には、そのスクリューコンベア７とは個別に培養基Ｂの上側表面部に植菌孔Ｂ１を形成するための突き出し軸部２１が設けられている。
【００２８】
ところで、この第１実施例においては、前記培養基Ｂの袋詰め機構に加え、前記フィルム原反ＳＲを装填保持するフィルム装填部２と前記フィルムＳを筒状に折り返すフォーマー３との搬送経路途上にフィルムＳを挟着保持しつつ所定の箇所に開口孔Ｈを設ける孔開け機構２２が設けられ、この孔開け機構２２には、前記フィルムＳを載せる受け板となる下側の挟着プレート２３と、この下側の挟着プレート２３と対向して設けられる上側の挟着プレート２４と、前記フィルムＳの所定箇所に開口孔Ｈを開けるための円形状のカッター刃２５とが設けられており、このカッター刃２５の移動の際に受け入れる切り欠き孔２３Ａが前記下側の挟着プレート２３に設けられており、この実施例では前記下側の挟着プレート２３に上側の挟着プレート２４とカッター刃２５とを駆動する駆動手段となるシリンダ２６が取り付けられている。
【００２９】
また、前記機台１には前記孔開け機構２２の受け板となる下側の挟着プレート２３と連結し、前記角形包装袋Ｐの横シール間隔である角形包装袋Ｐの１ピッチ分を搬送移送するフィルム定寸送り機構２７が備え付けられており、前記孔開け機構２２によるフィルムＳの挟着時に前記角形包装袋Ｐの横シール間隔である１ピッチ分を繰り出して移送し、孔開け機構２２によるフィルムＳの挟着開放時に前記フィルム定寸送り機構２７を復帰作動するように設定している。
【００３０】
この場合、前記フィルム定寸送り機構２７として、前記孔開け機構２２の受け板となる下側の挟着プレート２３の両端部に案内ロッド２８を介してその下側の挟着プレート２３を往復移動するための駆動手段となるシリンダ２９が設けられている。
【００３１】
また、機台１の側方には、前記フィルム装填部２とは個別にフィルタ装填部３０が設けられ、このフィルタ装填部３０に通気性のシート材からなるフィルタＦをロール状に巻回したフィルタ原反ＦＲが着脱交換可能に設けられている。このフィルタ原反ＦＲから引き出し案内されたシート状のフィルタＦは、前記角形製袋筒部４の外周面に沿って引き回し配設される筒状のフィルムＳ箇所に設けられたフィルタカッター機構３１によって所定の寸法に切断されるように構成されている。
【００３２】
また、フィルタカッター機構３１によって切断された所定の大きさからなるフィルタＦは、フィルタカッター機構３１の下方に設けられた溶着機構３２によって前記フィルムＳに設けた前記開口孔Ｈ位置に合わせて貼り付けるように構成されている。
【００３３】
また、前記通気性のシート材からなるフィルタＦとして、角形包装袋Ｐ内に充填する培養基Ｂが漏れ出ない程度の大きさによる通気性を有するものであって、たとえば合成樹脂製の繊維を織り込んだものや不織布などが用いられている。
【００３４】
また、この第１実施例においては、前記フィルム定寸送り機構２７の上流側に前記フィルム原反ＳＲから余分にフィルムＳが引き出されることを防止するブレーキ機構３３が設けられており、このブレーキ機構３３は、フィルムＳの送りに抵抗を付与する対をなすガイドローラ３４によって形成されており、この一対のガイドローラ４の間に前記フィルムＳを挟んで搬送するように形成しており、この実施例では一方のガイドローラの３４の支軸上にガイドローラ３４の回動に対して電磁的に抵抗を付与するブレーキ装置３４Ａを設けている。
【００３５】
また、前記フィルム定寸送り機構２７の下流側に、そのフィルム定寸送り機構２７により引き出し案内されたフィルムＳの弛みを防止し所定のテンションを与えるフィルムテンション機構３５が設けられている。この場合、フィルムテンション機構３５は、前記フィルム定寸送り機構２７の作動時に伴う前記フィルムＳのテンションに応動して上下動するテンションロール３６によって形成されている。
【００３６】
本発明では、ロール状のフィルム原反ＳＲから引き出し案内されたフィルムＳはフォーマー３によって折り返されながら、フォーマー３の上下方向に沿って延設された角形製袋筒部４の外周面に沿って筒状に引き出し案内され、前記角形製袋筒部４の外周側に沿って筒状に巻き付けられて案内されたフィルムＳの両端縁の重ね合わせ部分は、縦シール機構９によって縦シールされて角形の筒状に製袋され、角形製袋筒部４より下方に移送された筒状のフィルムＳは、前記角形製袋筒部４の下方側に設けられた横シール機構１１によって角形筒状のフィルムＳの幅方向に沿ってヒートシールされて角形包装袋Ｐの底部が形成される。
【００３７】
この筒状に製袋しつつヒートシールされた角形包装袋Ｐ内に、ホッパー６に収納されている培養基Ｂが、角形製袋筒部４に挿通配置されているスクリューコンベア７の回転数に応じて規定量の培養基Ｂが掻き出されて供給されながら角形包装袋Ｐ内で加圧成形され、これと同時に、押圧駆動手段となるシリンダ１６の駆動によって連接ロッド１４を介して加圧プレート１３が培養基Ｂに向けて押圧し、これにより前記スクリューコンベア７によって加圧充填された角形包装袋Ｐの中央部分を除く四隅箇所が、加圧プレート１３の押圧作動によって加圧整形される。
【００３８】
前記スクリューコンベア７と加圧プレート１３とによって角形包装袋Ｐ内の培養基Ｂが加圧整形された後に、その角形包装袋Ｐの底部を受けている位置から充填袋載置部材１８が下方へ下がりつつ側方へ移動し、この横方向への移動時に、培養基Ｂが充填されている筒状の角形包装袋Ｐがフィルム搬送機構１０によって横シール間隔である１ピッチ分が繰り出されて下方へと移送される。この時、この実施例にあっては、加圧整形された培養基Ｂには、その表面部分にスクリューコンベア７の下端部分に個別に設けた突き出し軸部２１と、加圧プレート１３の底面側に設けた２個の孔開け棒１７とによって植菌孔Ｂ１がそれぞれ形成される。
【００３９】
また前記フィルム搬送機構１０によって横シール間隔である１ピッチ分が繰り出されて下方へと移送された後、その培養基Ｂが充填された筒状の角形包装袋Ｐの上側を横シール機構１１により横シールがなされて次の包装袋Ｐの底部が形成され、その横シールされた角形包装袋Ｐの下側が前記フィルムカッター機構１２によって切断されることにより培養基Ｂが袋詰めされた角形包装袋Ｐが搬送コンベア１９上に搬出される。
【００４０】
また、前述した培養基Ｂの袋詰め機構の作動と同時に、フィルムＳに開口孔Ｈを開けながら、その開口孔Ｈ位置に内外気の通気を行うフィルタＦが簡単に位置合わせされながら貼り付けられる。
【００４１】
すなわち、フィルム原反ＳＲから繰り出されたフィルムＳを挟着保持しつつ所定の箇所に開口孔Ｈを設ける孔開け機構２２が設けられており、この孔開け機構２２には、前記フィルムＳの上下から挟み付ける下側の挟着プレート２３と上側の挟着プレート２４と前記フィルムＳの所定箇所に開口孔Ｈを開けるための円形筒状のカッター刃２５によって構成され、受け板となる下側の挟着プレート２３に対して上側の挟着プレート２４とカッター刃２５とをシリンダ２６によって駆動することにより、前記フィルムＳを挟着保持した後にカッター刃２５をフィルムＳに突き当てることによって開口孔Ｈが形成される。
【００４３】
また、前記機台１には前記孔開け機構２２に設けられた受け板となる下側の挟着プレート２３と連結され、前記包装袋Ｐの横シール間隔である角形包装袋Ｐの１ピッチ分を搬送移送するシリンダ２９からなるフィルム定寸送り機構２７が備え付けられ、前記孔開け機構２２によるフィルムＳの挟着時に前記角形包装袋Ｐの横シール間隔である１ピッチ分をシリンダ２９によって繰り出して移送し、孔開け機構２２によるフィルムＳの挟着開放時に前記フィルム定寸送り機構２７のシリンダ２９を復帰作動するように設定してなることにより、従来から一般的に行われているローラ間にフィルムを挟んで回転駆動することによってフィルムを引き出し案内するタイプに比べてフィルムの延びを抑制することができ、角形包装袋Ｐの所定箇所に良好にフィルタＦを貼り付けるための開口孔Ｈを適正位置に開けつつ、フィルムＳを所定量移送することができるものであり、これにより所定量の間隔を介して開口孔Ｈを開けることができるという効果がある。
【００４４】
このフィルムＳの移送時において、前記フィルム定寸送り機構２７の上流側に前記フィルム原反ＳＲから余分にフィルムＳが引き出されることを防止するフィルムＳの送りに抵抗を付与する対をなすガイドローラ３４からなるブレーキ機構３３を設けてなることにより、フィルム定寸送り機構２７よってフィルムＳを挟着しつつ前記角形包装袋Ｐの横シール間隔である１ピッチ分を繰り出して移送する際に、前記ブレーキ機構３３によってフィルム原反ＳＲから余分にフィルムＳが引き出されてしまうという問題を解消するができるものである。
【００４５】
また、フィルム定寸送り機構２７によってフィルムＳを挟着しつつ前記角形包装袋Ｐの横シール間隔である１ピッチ分のフィルムＳを繰り出して移送する際に、その送られたフィルムＳによる弛み分を前記フィルムＳのテンションに応動して上下動するテンションロール３６からなるフィルムテンション機構３５によって常に所定のテンションが得られるように作動することができるため、良好にフィルムＳを次の工程であるフォーマー３へと送り出すことができるという効果もある。
【００４６】
また、前記フィルムＳの移送と同時に、フィルタ原反ＦＲから引き出し案内されたシート状のフィルタＦは、前記角形製袋筒部４の外周面に沿って引き回し配設される筒状のフィルムＳ箇所に設けられたフィルタカッター機構３１によって所定の寸法に切断され、フィルタカッター機構３１によって切断された所定の大きさからなるフィルタＦは、フィルタカッター機構３１の下方に設けられた溶着機構３２によって前記フィルムＳに設けた前記開口孔Ｈ位置に合わせて貼り付けることにより、フィルムＳの開口孔Ｈ位置に内外気の通気を行うフィルタＦを簡単に位置合わせしながら貼り付けることができるという効果がある。
【００４７】
なお、本発明は上述した実施例に限定されるものではなく本発明の要旨の範囲内において種々の変形実施が可能であり、この実施例にあっては、加圧整形された培養基Ｂの表面部分には、スクリューコンベア７の下端部分に設けた突き出し軸部２１による植菌孔Ｂ１と、加圧プレート１３の底面側に設けた２個の孔開け棒１７による植菌孔Ｂ１とを合わせて３個が形成されているが、角形包装袋の大きさなどに応じてその個数を増やしたり、植菌孔Ｂ１の内径寸法や深さなどを変えても良いものであり、培養基Ｂに種菌を接種する際、すべての植菌孔Ｂ１に接種する場合もあるが、その植菌孔Ｂ１の一部を利用して袋Ｐ内の通気性を確保するために設ける場合もある。
【００４８】
またこの実施例では、フィルムＳに孔開け機構２２によって開口孔Ｈを設ける際、その開口孔Ｈとして丸孔形状に形成していたが、形状にとらわれず、たとえば角状の形状からなる開口孔であってもよいものであり、場合によっては切り込みからなる開口孔でもよいが、結果的にはその開口孔によって包装袋Ｐの内外気が流通できる程度の開口部であればよいものであり、その際、開口孔に熱溶着にてフィルタＦを貼り付けることで角形包装袋Ｐの内部に雑菌の侵入を防ぎかつ内外気の通気が良好に行えるものであればよい。
【００４９】
また、実施例においては、フィルムＳの孔開け機構２２と連結し、角形包装袋Ｐの横シール間隔である包装袋Ｐの１ピッチ分を搬送移送するフィルム定寸送り機構２７として、シリンダ２９をその駆動手段として用いていたが、クランク機構やラックとピニオンからなる歯車伝達機構による往復動機構を用いてもよいものであり、また、実施例では、フィルム定寸送り機構２７の上流側に前記フィルム原反ＳＲから余分にフィルムＳが引き出されることを防止するブレーキ機構３３として、フィルムＳの送りに電磁的に抵抗付与する対をなすガイドローラ３４を設けていたが、対をなすガイドローラ３４にバンドなどを押し当てて機械的に抵抗を付与するものであってもよく、シリンダなどによる空圧制御によって抵抗を付与するブレーキ装置として構成してもよいものである。
【００５０】
【発明の効果】
以上詳述したように、請求項１記載の発明によれば、フィルムを角形に製袋して送り出す角形製袋筒部と、培養基を充填するための充填筒部とを２重構造に配設し、ロール状のフィルム原反から引き出し案内されたフィルムを角形製袋筒部によって角形筒状に製袋した後に縦シール機構、横シール機構によってヒートシールされ、その製袋された角形包装袋内に充填筒部の内部に設けられたスクリューコンベアによって間欠的に培養基を充填加圧しながら連続して角形包装袋内に袋詰めを行うことができる。  また、前記スクリューコンベアによって加圧充填された角形包装袋の中央部分を除く四隅箇所は、加圧プレートの押圧作動によって加圧整形することにより、角形包装袋内の培養基を良好に加圧整形することができる。
【００５１】
また前記請求項１記載の発明において、請求項２の発明では、前記加圧プレートの下面側に設けた孔開け棒によって、前記角形筒状の包装袋内に加圧充填される培養基の表面部分に植菌孔が穿設され、この植菌孔によって種菌の接種時においては、種菌の菌糸が培養機内で早く蔓延することが可能となり、また植菌孔の存在により、包装袋内の培養基の通気性を高めることが可能となる。
【００５２】
また前記請求項１または請求項２記載の発明において、請求項３の発明では、前記フィルム原反を装填保持するフィルム装填部とフィルムを筒状に折り返すフォーマーとの搬送経路途上にフィルムを挟着保持しつつフィルムの所定の箇所に開口孔を形成する孔開け機構が設けられ、ロール状に巻回されたフィルタ原反から引き出し案内された通気性を有するフィルタをフィルタカッター機構によって所定の寸法に切断し、切断されたフィルタを前記フィルムに設けた前記開口孔位置に合わせて溶着機構によって貼り付けることにより、フィルムの開口孔位置に内外気の通気を行うフィルタを簡単に位置合わせしながら貼り付けることができる。
【００５３】
また前記請求項３記載の発明において、請求項４の発明では、前記孔開け機構と連結し、前記包装袋の横シール間隔である包装袋の１ピッチ分を搬送移送するフィルム定寸送り機構を設け、前記孔開け機構によるフィルムの挟着時に前記包装袋の横シール間隔である１ピッチ分を繰り出して移送し、孔開け機構によるフィルムの挟着開放時に前記フィルム定寸送り機構を復帰作動するように前記フィルム定寸送り機構を設定してなることにより、従来のフィルムの送り機構に比べてフィルムの延びを抑制しながらフィルムを移送することができ、これにより包装袋の所定箇所に良好にフィルタを貼り付けるための開口孔を適正位置に開けつつ、フィルムを所定量移送することができるという効果がある。
【図面の簡単な説明】
【図１】本発明の一実施例にて適用する角形包装袋における培養基の袋詰め装置の全体構成を示す正面図である。
【図２】図１の培養基の袋詰め装置における角袋の繰り出し状態を示した正面図である。
【図３】図２の培養基の袋詰め装置における横シール機構の動作状態を示した正面図である。
【図４】図３の培養基の袋詰め装置におけるカッター機構により包装袋を切り離した状態を示した正面図である。
【図５】図５は、図１に対応する角形包装袋における培養基の充填装置を示した側面図である。
【図６】図５における加圧プレートの作動状態を示した角形包装袋における培養基の充填装置の側面図である。
【図７】図７は、図２に対応する培養基の袋詰め装置における角袋の繰り出し状態を示した側面図である。
【図８】図８は、培養基を充填した角形包装袋と培養基の充填加圧機構の概略を示した要部の斜視図である。
【図９】図９（Ａ）と図９（Ｂ）は、角形包装袋内に培養基をスクリューコンベアによって加圧充填し、加圧プレートにより加圧整形する状態を示したそれぞれの動作拡大図である。
【図１０】本発明の一実施例におけるフィルム孔開け機構とフィルム定寸送り機構を主体的に示す要部の斜視図である。
【図１１】図１０の孔開け機構の要部を示す側面図である。
【図１２】図１１の孔開け機構の上側の挟着プレートとカッター刃の動きを示した動作図である。
【符号の説明】
１    機台
２    フィルム装填部
３    フォーマー
４    角形製袋筒部
５    充填筒部
６    ホッパー
７    スクリューコンベア
８    モータ（駆動源）
９    縦シール機構
１０    フィルム搬送機構
１１    横シール機構
１２    フィルムカッター機構
１３    加圧プレート
１３Ａ  挿通孔
１４    連接ロッド
１５    取付プレート
１６    シリンダ（押圧駆動手段）
１７    孔開け棒
１８    充填袋載置部材
１９    搬送コンベア
２０    側面用押型
２１    突き出し軸部
２２    孔開け機構
２３    下側の挟着プレート
２３Ａ  切り欠き孔
２４    上側の挟着プレート
２５    カッター刃
２６    シリンダ（駆動手段）
２７    フィルム定寸送り機構
２８    案内ロッド
２９    シリンダ（駆動手段）
３０    フィルタ装填部
３１    フィルタカッター機構
３２    溶着機構
３３    ブレーキ機構
３４    ガイドローラ
３４Ａ  ブレーキ装置
３５    テンション機構
３６    テンションロール
Ｂ    培養基
Ｆ    フィルタ
Ｈ    開口孔
Ｐ    包装袋
Ｓ    フィルム
Ｂ１    植菌孔
ＦＲ    フィルタ原反
ＳＲ    フィルム原反
【図１】
0003695633.tif 000002
【図２】
0003695633.tif 000003
【図３】
0003695633.tif 000004
【図４】
0003695633.tif 000005
【図５】
0003695633.tif 000006
【図６】
0003695633.tif 000007
【図７】
0003695633.tif 000008
【図８】
0003695633.tif 000009
【図９】
0003695633.tif 000010
【図１０】
0003695633.tif 000011
【図１１】
0003695633.tif 000012
【図１２】
0003695633.tif 000013